(57)【要約】【課題】大量の硬貨を入金処理する場合の処理効率を向上させ、かつ係員の負担を軽減させる。【解決手段】大量の硬貨の入金処理を行う際、係員が硬貨を硬貨包装機５に投入して硬貨計数部６で金種別に計数し、その計数により得られた金種別枚数と合計金額に処理番号を付与した処理データを前記データベースに送信して記憶させると共に、その硬貨包装機５でレシートに印字して係員に排出する。係員が現金処理機１でレシートに印字された処理が番号を入力すると、現金処理機１がその処理番号をデータベース１２に送信して、データベース１２から処理番号に該当する金種別枚数と合計金額のデータを取得し、そのデータに基づいて当該大口取引の現金を直接取り扱うことなく入金処理する。【選択図】　　　　図１
2004145658.tif 000002
【特許請求の範囲】
【請求項１】
金融機関の係員の操作により現金の入出金処理を行う現金処理装置と、現金を計数する計数手段と、計数データを記憶する記憶手段とより成り、
大量の現金の入金処理を行う際、現金を前記計数手段で金種別に計数し、
その計数により得られた金種別枚数と合計金額のデータを前記記憶手段に記憶させ、
前記現金処理装置は前記記憶手段から前記金種別枚数と合計金額のデータを取得して、その取得したデータに基づいて当該大口取引の現金を直接取り扱うことなく入金処理することを特徴とする現金処理システム。
【請求項２】
請求項１記載の現金処理システムにおいて、
前記記憶手段としてデータベースを用い、
前記計数手段は入金処理時に計数した現金の金種別枚数、合計金額に識別子を付与した計数データを前記データベースに送信すると共に、前記計数データベースを用紙に印字して出力し、
前記現金処理装置は前記識別子が入力されると、その入力された識別子を前記データベースに送信して、前記データベースから前記識別子に該当する計数データベースを取得することを特徴とする現金処理システム。
【請求項３】
請求項１記載の現金処理システムにおいて、
前記記憶手段としてメモリーカードを用い、
前記計数手段は入金処理時に挿入されたメモリーカードに、計数した現金の金種別枚数、合計金額のデータを書き込んで排出し、
前記現金処理装置は前記メモリーカードが挿入されると、そのメモリーカードから金種別枚数、合計金額のデータを取得することを特徴とする現金処理システム。
【発明の詳細な説明】
【０００１】
【発明の属する技術分野】
本発明は、金融機関の営業店に設置され、係員が大口の入金や出金処理を行う現金処理装置を備えた現金処理システムに関するものである。
【０００２】
【従来の技術】
図５は従来の技術処理を示すブロック図である。
このシステムは現金処理装置（以下現金処理機）１と硬貨包装装置（以下、硬貨包装機）５により構成されており、この現金処理機１と硬貨包装機５は金融機関における営業店の窓口後方に独立して配置され、窓口で業務を行うオペレータや、外出先で取引を受け付ける渉外員等の係員により操作されるものとなっている。
【０００３】
現金処理機１は、紙幣の入出金を行う紙幣処理部２と、硬貨の入出金を行う硬貨処理部３と、この紙幣処理部２及び硬貨処理部３を含めて現金処理機１全体の制御を行う制御部４を備えており、大口の取引における大量の紙幣や硬貨の入出金処理が可能である。
この現金処理機１における紙幣処理部２は、図示しない紙幣の金種別収納庫を有しており、処理した紙幣がこの金種別収納庫の収納量を越えると、紙幣を収納庫から回収して規定枚数ずつ束にし、その束を現金処理機１内の図示しない収納部に保管する機能を有している。
【０００４】
また、硬貨処理部３も、一般的に紙幣処理部２と同様の図示しない硬貨金種別収納庫を有しているが、硬貨の包装に関しては、その機能がないものが殆どである。
従って、処理した硬貨が硬貨収納庫の収納量を越えると、係員が硬貨収納庫から回収し、別の場所においてある硬貨包装機５で整理することが必要となる。
【０００５】
この硬貨包装機５は、硬貨の計数を行う硬貨計数部６と、計数された硬貨を一定枚数単位で包装する硬貨包装部７と、この硬貨計数部６及び硬貨包装部７を含めて硬貨包装機５全体の制御を行う制御部８を備えている。
図６は上述した構成の作用を示すフローチャートで、この図を用いて硬貨の入金処理について説明する。
【０００６】
大量の硬貨の入金が発生した場合、係員はこの硬貨を現金処理機１の硬貨処理部に投入する。
このとき、投入できる硬貨の量（枚数）は予め定められているので、一度に投入できないときは複数回に分けて投入される。
投入された硬貨は図示しない硬貨計数によって金種別に計数され、金種別収納庫に振り分けられて収納される（Ｓ１０１）。
【０００７】
これらの金種別収納庫の硬貨収納量は、図示しないセンサの出力信号や、累積収納データに基づいて監視されており、これにより金種別収納庫の硬貨収納量が金種別収納庫の収納容量を越えたか否かが制御部８によって判断される（Ｓ１０２）。
収納容量を越えた金種別収納庫があると、制御部８によって入金処理が中断され、図示しないスピーカによる音声や、ＬＣＤディスプレイ等の表示部により回収の指示が係員に対して行われる。
【０００８】
これにより係員は、収納容量を越えた金種別収納庫から硬貨を回収し（Ｓ１０３）、その後入金処理が再開される。
そして、すべての硬貨の投入が行われ、計数されて後、金種別収納庫の収納容量を越えない場合、つまり投入された硬貨がすべて金種別収納庫に収納された場合、制御部により計数データの格納が行われ、現金処理機１での入金処理が終了する。
【０００９】
前記のように係員により金種別収納庫から回収された硬貨は、係員により硬貨包装機５へ運ばれ、包装処理が行われる。
すなわち、係員により硬貨が硬貨包装機５へ投入され、硬貨計数部６で金種別に計数が行われる（Ｓ１０４）。
そして計数された硬貨は金種別に硬貨包装部７で一定枚数毎に包装され、棒金として所定の収納部に収納される（Ｓ１０５）。
【００１０】
投入された硬貨がすべて計数され、包装されると包装処理は終了する。
尚、大量の紙幣の入金処理を行う場合も、現金処理機１と、紙幣の計数と施封を専用に行う図示しない紙幣整理機をを用いて同様入金処理を行っている。
【００１１】
【発明が解決しようとする課題】
しかしながら、上述した従来の技術では、非常に大量の現金（硬貨や紙幣）を入金処理する場合、処理中に収納量を越えると、処理を中断して係員が収納部から手作業で回収する必要があるので効率が悪く、また回収した硬貨は係員が硬貨包装機に運搬しなければならないので係員に負担がかかるという問題がある。
【００１２】
また、現金処理機で計数した現金を硬貨包装機（または紙幣整理機器）でも計数するため、２度の計数処理を行うことになり、処理時間が長くなるという問題もある。
尚、硬貨を包装する機能を備えた現金処理機も存在するが、このような装置は大型となり、店舗内に設置することが困難であるいう問題がある。
【００１３】
また、硬貨を包装する機能を備えた現金処理機の場合、包装した硬貨の収納量が限られるため、非常に大量の硬貨を処理する場合、処理中に収納量を越えることが多々あり、このような場合、やはり処理中であっても装置を停止し、係員が収納部から手動で回収する必要があるので効率も悪いという問題がある。
本発明はこのような問題を解決することを課題とする。
【００１４】
【課題を解決するための手段】
そのため、本発明の現金処理システムは、金融機関の係員が操作により現金の入出金処理を行う現金処理装置と、現金を計数する計数手段と、計数データを記憶する記憶手段とより成り、大量の現金の入金処理を行う際、現金を前記計数手段で金種別に計数し、その計数により得られた金種別枚数と合計金額のデータを前記記憶手段に記憶させ、前記現金処理装置は前記記憶手段から前記金種別枚数と合計金額のデータを取得して、その取得したデータに基づいて当該大口取引の現金を直接取り扱うことなく入金処理することを特徴とする。
【００１５】
【発明の実施の形態】
以下、図面を参照して本発明による現金処理システムの実施の形態について説明する。
図１は第１の実施の形態を示すブロック図である。
図において１は現金処理機（現金処理装置）で、紙幣の入出金を行う紙幣処理部２と、硬貨の入出金を行う硬貨処理部３と、紙幣処理部２及び硬貨処理部３を含めて現金処理機１全体を制御する制御部４を備えている。
【００１６】
この現金処理機１における紙幣処理部２は、図示しない紙幣の金種別収納庫を有しており、処理した紙幣がこの金種別収納庫の収納量を越えると、紙幣を収納庫から回収して規定枚数ずつ束にし、その束を現金処理機１内の図示しない収納部に保管する機能を有している。
また、硬貨処理部３は、紙幣処理部と同様に図示しない硬貨収納庫を有している。
【００１７】
５は計数手段としての硬貨包装機で、硬貨の計数を行う硬貨計数部６と、計数された硬貨を一定枚数単位で包装する硬貨包装部７と、硬貨計数部６及び硬貨包装部７を含めて硬貨包装機５全体を制御する制御部８を備えている。　１２は現金の計数データを格納する記憶手段としてのデータベースで、ここでは図示しないＰＣやサーバ等の端末に設けられたＨＤ等の記憶装置に設定されているが、現金処理機１または硬貨包装機５内の記憶装置に設ける構成とすることも可能である。
【００１８】
９はローカルエリアネットワーク（以下、ＬＡＮと略称する）で、このＬＡＮ９を介して現金処理機１、硬貨包装機５及びデータ管理装置１２と接続されている。
尚、現金処理機１、硬貨包装機５及びデータベース１２の接続手段はＬＡＮ９に限定されるものではなく、ＵＳＢケーブルや無線等の一般的な接続手段であればよい。
【００１９】
また、現金処理機１と硬貨包装機５及びデータベース１２を備えた端末は金融機関における営業店の窓口後方に配置され、現金処理機１と硬貨包装機５は窓口で業務を行うオペレータや、外出先で取引を受け付ける渉外員等の係員により操作されるものとなっている。
図２は上述した構成の作用を示すフローチャートで、この図を用いて硬貨の入金処理について説明する。
【００２０】
大量の硬貨の入金が発生した場合、係員はこの硬貨を計数手段である硬貨包装機５に投入する。
投入された硬貨は硬貨計数部６で金種別に計数される（Ｓ１）。
そして計数された硬貨は金種別に硬貨包装部７で一定枚数毎に包装され、棒金として所定の収納部に収納される（Ｓ２）。
【００２１】
投入された硬貨がすべて計数され、かつ包装が行われて包装処理が完了すると（Ｓ３）、硬貨包装機５の制御部８は硬貨の金種別枚数、合計金額に処理番号を識別子として付与し、これを計数データとして図示しない端末に通知すると共に（Ｓ４）、図示しないプリンタによりこの計数データをレシートに印字して前記係員に発行する（Ｓ５）。
【００２２】
端末は硬貨包装機５から計数データを受信すると、この計数データをデータベース１２に記憶させる。
次に、係員は現金処理機１の設置場所に行き、前記レシートに印字された処理番号を現金処理機１の図示しないキーボードあるいはタッチパネル等の入力手段で入力すると（Ｓ６）、これにより現金処理機１の制御部４は入力された処理番号を添付して計数データの照会を図示しない端末に依頼する（Ｓ７）。
【００２３】
この依頼により端末は受信した処理番号に該当する計数データをデータベース１２から検索して、検索した金種別枚数、合計金額のデータを現金処理機１に通知する（Ｓ８）。
これにより現金処理機１は端末から金種別枚数、合計金額データを取得したことになり、この取得した金種別枚数、合計金額データに基づいて現金処理機１で制御部４によりデータ上の入金処理（金種別枚数、合計金額の累積加算）が行われる（Ｓ９）。つまり、現金処理機１は当該大口取引の現金を直接取り扱うことなく入金処理する。
【００２４】
そして、入金処理が完了すると（Ｓ１０）、その処理内容が現金処理機１の図示しないプリンタにより伝票に印字され、係員に発行される。
同時に前記処理番号に該当する金種別枚数、合計金額に基づく入金処理の処理済の通知が現金処理機１から図示内端末に通知され（Ｓ１１）、該端末でデータベース１２の該当する計数データに処理済のデータが付加される。
【００２５】
以上説明した第１の実施の形態によれば、大量の硬貨を入金処理する必要が生じた場合、硬貨包装機で計数処理と包装処理を行って、現金処理機では硬貨の計数や収納処理を行わずに済むようにしているため、処理効率の向上を図ることができると共に、係員が現金処理機の収納部から硬貨を手作業で回収したり硬貨包装機に運搬する必要がなくなるので、係員の負担を軽減できるという効果が得られる。
【００２６】
また、硬貨包装機のみで計数を行い、現金処理機は硬貨包装機の計数結果を基に入金処理を行うので、現金処理機と硬貨包装機の両方で計数するという重複した処理が省け、処理時間を短縮できると共に、硬貨包装機で硬貨の計数、包装処理を行っている間、現金処理機で別の取引処理を行うことが可能となるので、この点でも処理能力が向上するという効果も得られる。
【００２７】
更に、硬貨を包装する機能を備えた現金処理機に比べて、装置の小型化を図ることが可能となるという効果が得られる。
図３は第２の実施の形態を示すブロック図である。
この実施の形態は、記憶手段として第１の実施の形態で用いたデータベース１２に代えてメモリーカード１４を用いるもので、そのため現金処理機１と現金包装機５にそれぞれメモリーカード１４に対してデータの読み取り及び書き込みを行うメモリーカードリード・ライト部１３、１５を備えている。
【００２８】
この、メモリーカード１４としては、非接触ＩＣカードやフレキシブルディスク等の一般的な可搬型のメモリーであればよい。
また、メモリーカードリード・ライト部１３、１５は、メモリーカード１４の種類に対応した装置が装備される。
尚、現金処理機１と硬貨包装機５のその外の構成は第１の実施の形態のと同様であるが、この実施の形態では現金処理機１と硬貨包装機５は接続する必要はなく、従ってＬＡＮ９は省略することができる。
【００２９】
図４は上述した構成の作用を示すフローチャートで、この図を用いて硬貨の入金処理について説明する。
大量の硬貨の入金が発生した場合、係員はメモリーカード１４を硬貨包装機５のメモリーカードリード・ライト部１５に挿入する。挿入されたメモリーカード１４はメモリーカードリード・ライト部１５内に取り込まれる。
【００３０】
続いて係員は入金用の硬貨を計数手段である硬貨包装機５に投入する。
投入された硬貨は硬貨計数部６で金種別に計数される（Ｓ２１）。
そして計数された硬貨は金種別に硬貨包装部７で一定枚数毎に包装され、棒金として所定の収納部に収納される（Ｓ２２）。
投入された硬貨がすべて計数され、包装が行われて包装処理が完了すると（Ｓ２３）、硬貨包装機５の制御部８は硬貨の金種別枚数、合計金額に処理番号を識別子として付与し、これを計数データとしてメモリーカードリード・ライト部１５はメモリーカード１４に書き込みを行う（Ｓ２４）。
【００３１】
書き込み終了後、メモリーカードリード・ライト部１５からメモリーカード１４が排出される。
係員はこれを抜き取って現金処理機１の設置場所に行き、現金処理機１のメモリーカードリード・ライト部１３に挿入する。
挿入されたメモリーカード１４はメモリーカードリード・ライト部１３内に取り込まれ、メモリーカードリード・ライト部１３によりメモリーカード１４から前記計数データの読み取りが行われる（Ｓ２５）。
【００３２】
制御部４はこの読み取った計数データの金種別枚数、合計金額に基づいてデータ上の入金処理（金種別枚数、合計金額の累積加算）を行う（Ｓ２６）。つまり、現金処理機１は当該大口取引の現金を直接取り扱うことなく入金処理する。
そして、入金処理が完了するとメモリーカードリード・ライト部１３によりメモリーカード１４内の該当する計数データに処理済のデータが書き込まれ、書き込み終了後、メモリーカードリード・ライト部１５からメモリーカード１４が排出される。
【００３３】
また、この書き込み処理と同時に、入金処理内容が現金処理機１の図示しないプリンタにより伝票に印字され、係員に発行される。
以上説明した第２の実施の形態によれば、第１の実施の形態と同様の効果が得られる他、メモリ−カードに硬貨包装機での処理データを書き込むため、硬貨包装機からのレシートの発行が不要となり、ランニングコストを低減することが可能となる。
【００３４】
また、現金処理機に係員が処理番号を入力する必要がないので、処理効率が向上し、入力ミスもなくすことができる。
更に、メモリーカードとして非接触ＩＣカードを使用した場合には、データの習字の書き込みや読み取りが可能になるので、処理時間をより短縮することが可能となる。
【００３５】
尚、上述した第１，第２の実施の形態では、硬貨の入金処理について現金処理機とは別の硬貨包装機を現金計数機として利用した場合について説明したが、本発明はこれに限られるものでなく、紙幣の計数とを施封を専用に行う紙幣整理機を現金計数機として利用し、同様に紙幣の入金処理を行うことも可能である。
更に、本発明では硬貨や紙幣は包装や紙幣を施封を行う必要はなく、計数処理後に、店舗内の金庫に収納したり、あるいは現金センターに送る等の処理であってもよい。
【００３６】
【発明の効果】
以上説明したように本発明は、大量の現金を入金処理する必要が生じた場合、計数手段で計数処理と包装処理を行って、現金処理機では現金の計数や収納処理を行わなくとも済むようにしているため、処理効率の向上を図ることができると共に、係員が現金処理機の収納庫から現金を手作業で回収したり、計数手段に運搬する必要がなくなり、係員の負担を軽減できるという効果が得られる。
【００３７】
また、計数手段のみで計数を行い、現金処理機は計数手段の計数結果を基に入金処理を行うので、現金処理機と計数手段の両方で計数するという重複した処理が省け、処理時間を短縮することができると共に、計数手段で現金の計数等を行っている間、現金処理機で別の取引処理を行うことが可能となるので、この点でも処理能力が向上するという効果も得られる。
【図面の簡単な説明】
【図１】第１の実施の形態を示すブロック図
【図２】第１の実施の形態の作用を示すフローチャート
【図３】第２の実施の形態を示すブロック図
【図４】第２の実施の形態の作用を示すフローチャート
【図５】従来技術を示すブロック図
【図６】従来技術の作用を示すフローチャート
【符号の説明】
１　現金処理機
２　紙幣処理部
３　硬貨処理部
４　制御部
５　硬貨包装機
６　硬貨計数部
７　硬貨包装部
８　制御部
９　ＬＡＮ
１２　データベース
１３　メモリーカードリード・ライト部
１４　メモリーカード
１５　メモリーカードリード・ライト部
【図１】
2004145658.tif 000003
【図２】
2004145658.tif 000004
【図３】
2004145658.tif 000005
【図４】
2004145658.tif 000006
【図５】
2004145658.tif 000007
【図６】
2004145658.tif 000008